(57)【要約】      （修正有）【課題】設置が容易であるとともに、印刷面と画像を共に表示することができる映像表示装置を提供する。【解決手段】前側パネル６を有し、該前側パネル６に開口部７を形成し、該開口部７の裏側から、該開口部７を閉塞するようにスクリーンを取り外し可能に取り付け、前側パネル６の前面に印刷を施し、前側パネル６の裏側に前記スクリーンに映像を拡大投影するプロジェクター１５を配設した。【選択図】図１
0003224807.tif 000002
【実用新案登録請求の範囲】
【請求項１】
前側パネルを有し、該前側パネルに開口部を形成し、該開口部の裏側から、該開口部を閉塞するようにスクリーンを取り外し可能に取り付け、
前記前側パネルの前面に印刷を施し、
前側パネルの裏側に前記スクリーンに映像を拡大投影するプロジェクターを配設したことを特徴とする映像表示装置。
【請求項２】
一対の側パネルを有し、該側パネルの前側に前記前側パネルを配設し、前記側パネルの後側に後側パネルを配設し、
前記側パネルと前記前側パネルと前記後側パネルで囲まれた収納空間を形成し、該収納空間内に前記プロジェクターを配設したことを特徴とする請求項１記載の映像表示装置。
【請求項３】
前記前側パネルの裏面に対して、磁石を用いて、前記スクリーンを取り外し可能に設けたことを特徴とする請求項１又は２記載の映像表示装置。
【請求項４】
前記スクリーンを通して、前方より前記収納空間内を視認できるようにしたことを特徴とする請求項１又は２又は３記載の映像表示装置。
【考案の詳細な説明】
【技術分野】
【０００１】
本考案は、映像表示装置に関するものである。
【背景技術】
【０００２】
従来、展示会やスーパーなどにおいて、商品の近くにモニターを設置し、そのモニターに商品に関連する動画等を表示して、商品の販促を行うことが行われている。
【考案の概要】
【考案が解決しようとする課題】
【０００３】
しかし、上記モニターは重量があるため、それを設置する作業に複数人が必要となり、設置に手間がかかることと、動画のみのため、一目で商品の内容を把握することが困難であるという問題点がある。
【０００４】
そこで、本考案は、上記問題点を解決した映像表示装置を提供することを目的とするものである。
【課題を解決するための手段】
【０００５】
前記の課題を解決するために、請求項１記載の考案は、前側パネルを有し、前記前側パネルに開口部を形成し、開口部の裏側から、該開口部を閉塞するようにスクリーンを取り外し可能に取り付け、
前記前側パネルの前面に印刷を施し、
前側パネルの裏側に前記スクリーンに映像を拡大投影するプロジェクターを配設したことを特徴とするものである。
【０００６】
一対の側パネルを有し、該側パネルの前側に前記前側パネルを配設し、該側パネルの後側に後側パネルを配設し、
前記側パネルと前記前側パネルと前記後側パネルで囲まれた収納空間を形成し、該収納空間内に前記プロジェクターを配設してもよい。
【０００７】
前記前側パネルの裏面に対して、磁石を用いて、前記スクリーンを取り外し可能に設けてもよい。
【０００８】
前記スクリーンを通して、前方より前記収納空間内を視認できるようにしてもよい。
【考案の効果】
【０００９】
本考案の映像表示装置によれば、前側パネルを有し、前側パネルに開口部を形成し、開口部の裏側から、開口部を閉塞するようにスクリーンを取り外し可能に取り付け、前記前側パネルの前面に印刷を施し、前側パネルの裏側に前記スクリーンに映像を拡大投影するプロジェクターを配設したことにより、上記従来技術のものよりも映像表示装置を構成する各部品を軽量化でき、一人でも容易に設置できる。
【００１０】
また、前側パネルの前面に印刷を施して一目で商品の内容を把握できるようにするとともに、プロジェクターによりスクリーンに映像を拡大投影したことにより、関連する多く情報を提供することができ、商品の広告効果を増すことができる。
【図面の簡単な説明】
【００１１】
【図１】本考案の実施例１における映像表示装置１の前側から見た斜視図。
【図２】本考案の実施例１用いる前側パネルの裏面図。
【図３】本考案の実施例１における骨格部材を折り畳んだ状態の前側から見た斜視図。
【図４】図３の状態から骨格部材を拡げた状態の前側から見た斜視図。
【図５】図４の状態から骨格部材の収納空間内にプロジェクターを設置した状態の前側から見た斜視図。
【図６】図１の映像表示装置１から裏側パネルとプロジェクターを取り外した状態の裏側から見た斜視図。
【図７】図２のＥ−Ｅ線における部分断面図。
【考案を実施するための形態】
【００１２】
本考案を実施するための形態を図に基づいて説明する。
【００１３】
［実施例１］
図１は、本考案の実施例１に係る映像表示装置１の前側から見た斜視図である。以下において、図１において、Ａ−Ｂ方向を前後方向、Ｃ−Ｄ方向を左右方向として説明する。
【００１４】
映像表示装置１は、図３，４，６に示すような骨格部材２を有し、骨格部材２は、前側の左右両側部に設けた前側支柱３，３と、後側の左右両側部に設けた後側支柱４，４の計４本の支柱を有する。
【００１５】
夫々の支柱３，４は磁性を有する金属で形成されるとともに、外側に位置する面は平面状に形成され、この平面部分に磁石等を用いて後述するパネル６，９，１０を取り外し可能に取り付けることができるようになっている。
【００１６】
左右の後側支柱４，４間には、伸縮部５が設けられ、左右の後側支柱４，４間の相互の距離を変更できるようになっている。伸縮部５は、左右の後側支柱４，４間の距離を変更できるものであれば任意の方法を用いることができる。本実施例１の伸縮部５は、図３，４，６に示すように、２本のロッド５ａ，５ｂを有し、このロッド５ａ，５ｂを、その軸方向の中央部において、連結具５ｃにより回動可能にＸ状に連結し、夫々のロッド５ａ，５ｂの下側部を支柱４，４に対し上下方向に回動可能に連結し、夫々のロッド５ａ，５ｂの上側部を、支柱４，４に対して上下方向に摺動できるとともに、上下方向に回動可能に連結して構成した。
【００１７】
本実施例においては、左右夫々の前側支柱３と後側支柱４間には、Ｘ状の連結部材８が設けられ、前側支柱３と後側支柱４間の距離は一定に保つように形成されている。なお、前側支柱３と後側支柱４間に、連結部材８の代わりに上記伸縮部５と同様の伸縮部を設けて、前側支柱３と後側支柱４間の距離を変更できるようにしてもよい。
【００１８】
図６に示すように、左右の前側支柱３，３の前側面には、前側パネル６が、磁石や面ファスナーなどにより取り外し可能に取り付けられている。前側パネル６には、その表裏を貫通する開口部７が形成されているとともに、開口部７以外の前側パネル６の前面には、任意の文字や図柄などの意匠が、任意の印刷手段に印刷されている。
【００１９】
左右夫々の前側支柱３と後側支柱４の外面間には、側パネル９が磁石や面ファスナーなどにより取り外し可能に取り付けられている。左右の後側支柱４，４の後側面間には、図１に示すように、後側パネル１０が磁石や面ファスナーなどにより取り外し可能に取り付けられている。左右の側パネル９，９と後側パネル１０の外側面には、任意の文字や図柄などの意匠が、任意の印刷手段に印刷されている。
【００２０】
図１に示すように、前側パネル６と左右の側パネル９，９と後側パネル１０により箱状に形成され、その内部には、前側パネル６と左右の側パネル９，９と後側パネル１０により囲まれた収納空間１１が形成されている。収納空間１１内の所定の場所に、図５に示すように、プロジェクター１３が配設されている。本実施例においては、収納空間１１の上側が開口するように形成したが、上側の開口部を上側パネルを用いて閉塞するようにしてもよい。
【００２１】
前側パネル６の裏面における前記開口部７の周囲には、図２，７に示すように、磁石、面ファスナーなどの取付部材１８ａが設けられている。投影部材１５の前面の外周部にも、磁石、面ファスナーなどの取付部材１８ｂが設けられ、この取付部材１８ａ，１８ｂを用いて、投影部材１５を前側パネル６の裏面に対して取り外し可能に取り付けられるようになっている。投影部材１５により開口部７が覆われている。本実施例においては、磁石を用いて、前側パネル６に対して、投影部材１５を取り外し可能に取り付けた。
【００２２】
投影部材１５は、図７に示すように、ガラスや樹脂等の透明な部材で構成された長方形状の透明部材１６と、この透明部材１６の裏面に張り付けられたスクリーン１７により構成されている。
【００２３】
スクリーン１７としては、プロジェクター１３により映像を拡大投影することができれば任意のスクリーンを用いることができ、好ましくは、プロジェクター投影用スクリーンを用いる。
【００２４】
また、スクリーン１７としては、前側パネル６の前側から投影部材１５通じて収納空間１１内を視認できる透明又は半透明の部材でも、前側パネル６の前側から投影部材１５を通じて収納空間１１内を視認できない不透明の部材のいずれで構成してもよい。
【００２５】
次に、映像表示装置１の設置方法について説明する。
【００２６】
映像表示装置１の収納や移動時等の非使用状態においては、骨格部材２から前側パネル６，側パネル９，９，後側パネル１０を取り外し、図３に示すように、左右の支柱３，３（４，４）間の距離が短くなるように、骨格部材２は折り畳まれている。
【００２７】
次に、映像表示装置１を設置する所定の場所に、骨格部材２を、左右の支柱３，３（４，４）間の距離が所定の距離となるように、各伸縮部５を拡げ、図４に示すように所定の位置に設置する。
【００２８】
次に、収納空間１１の所定の場所に、図５に示すように、プロジェクター１３を設置する。
【００２９】
次に、投影部材１５を取付けた前側パネル６と、左右の側パネル９，９と、後側パネル１０を骨格部材２に取付け、図１に示す映像表示装置１を形成する。
【００３０】
映像表示装置１は、上記の構成を有することにより、以下の作用、効果を奏する。
【００３１】
前側パネル６と、左右の側パネル９，９と、後側パネル１０に広告等に利用したい商品に関連する内容等を印刷するとともに、投影部材１５に、プロジェクター１３より映像を拡大投影することができる。
【００３２】
これにより、顧客等に、各パネル６，９，９，１０に印刷された内容から、商品の情報を視覚を通じて、一目で認識でき、その商品に興味を抱かせることができるとともに、投影部材１５に投影された内容により、その商品に関連する多く情報を提供することができ、商品の広告効果を増すことができる。また、同時に関連する音等を再生するようにしてもよい。
【００３３】
また、収納空間１１内を、前側パネル６の前方からスクリーン１７を通じて視認できるようにスクリーン１７を構成した場合には、収納空間１１内に商品を展示し、この商品を、スクリーン１７に投影した映像を通じて視認でき、より商品の広告効果を増すことができる。
【００３４】
更に、投影部材１５に、プロジェクター１３よりの映像を拡大投影することがでるようにしたことにより、映像表示装置１を構成する各部品の重量を低減でき、一人でも映像表示装置１を設置することができる。
【００３５】
前側パネル６に対して、投影部材１５を取り外し可能に取り付けたことにより、前側パネル６等の印刷を変更した場合にも、投影部材１５を再利用することができ、コストを削減できる。
【００３６】
また、骨格部材２に前側パネル６と、左右の側パネル９，９と、後側パネル１０を取り外し可能に取り付けるようにしたことにより、広告等に利用したい商品に応じて、その商品内容等を印刷したパネル６，９，９，１０を、その都度、作成し容易に変更することができる。
【００３７】
また、伸縮部５により、取付ける前側パネル６と、後側パネル１０の大きさに応じて、左右の支柱３，３（４，４）間の距離を変更できるようにしたことにより、骨格部材２に様々な大きさの前側パネル６と後側パネル１０を取付けることができ、骨格部材２を再利用することができる。
【００３８】
［実施例２］
上記実施例１の映像表示装置１は、前側パネル６と左右の側パネル９，９と後側パネル１０により箱状に形成し、その内部の収納空間１１内にプロジェクター１３を配設したが、左右の側パネル９，９と後側パネル１０を用いず、前側パネル６のみで構成し、前側パネル６の後側にプロジェクター１３を配設して、映像表示装置を構成するようにしてもよい。
【００３９】
上記以外の構成は、上記実施例１と同様であるため、上記実施例１と同様の符号を付してその説明を省略する。
【００４０】
本実施例２においても、上記実施例１と同様の作用、効果を奏する。
【符号の説明】
【００４１】
１  映像表示装置
６  前側パネル
７  開口部
９  側パネル
１０  後側パネル
１１  収納空間
１３  プロジェクター
１７  スクリーン
【図１】
0003224807.tif 000003
【図２】
0003224807.tif 000004
【図３】
0003224807.tif 000005
【図４】
0003224807.tif 000006
【図５】
0003224807.tif 000007
【図６】
0003224807.tif 000008
【図７】
0003224807.tif 000009
【手続補正書】
【提出日】令和1年11月14日(2019.11.14)
【手続補正１】
【補正対象書類名】実用新案登録請求の範囲
【補正対象項目名】全文
【補正方法】変更
【補正の内容】
【実用新案登録請求の範囲】
【請求項１】
前側パネルを有し、該前側パネルに開口部を形成し、該開口部の裏側から、該開口部を閉塞するようにスクリーンを取り外し可能に取り付け、
前記前側パネルの前面に印刷を施し、
前側パネルの裏側に前記スクリーンに映像を拡大投影するプロジェクターを配設したことを特徴とする映像表示装置。
【請求項２】
一対の側パネルを有し、該側パネルの前側に前記前側パネルを配設し、前記側パネルの後側に後側パネルを配設し、
前記側パネルと前記前側パネルと前記後側パネルで囲まれた収納空間を形成し、該収納空間内に前記プロジェクターを配設したことを特徴とする請求項１記載の映像表示装置。
【請求項３】
前記前側パネルの裏面に対して、磁石を用いて、前記スクリーンを取り外し可能に設けたことを特徴とする請求項１又は２記載の映像表示装置。
【請求項４】
前記スクリーンを通して、前方より前記収納空間内を視認できるようにしたことを特徴とする請求項２記載の映像表示装置。